(57)【要約】【課題】滑止性能に優れた釣り用履き物のアウトソールの提供。【解決手段】アウトソールは、フェルトからなり板状である主部と、主部に収容されかつその端面が主部の底面に露出するスパイク４６とを備える。スパイク４６は、多数のワイヤー５８からなるシャンク５４を備える。好ましくは、シャンク５４は多数のワイヤー５８が撚り合わされて形成される。好ましくは、スパイク４６はフランジ５６をさらに備える。フランジ５６は、多数のワイヤー５８からなる。これらワイヤー５８のそれぞれは、シャンク５４を構成するワイヤー５８と連続する。スパイク４６の製造方法は、（１）多数のワイヤー５８が撚り合わされて、ケーブルが形成される工程、（２）このケーブルが溶断される工程及び（３）溶断されたケーブルの一部において、それぞれのワイヤー５８が曲げられてフランジ５６が形成される工程を含む。【選択図】図４
2010172652.tif 000002
【特許請求の範囲】
【請求項１】
フェルトからなり板状である主部と、主部に収容されかつその端面が主部の底面に露出するスパイクとを備えており、
このスパイクが、多数のワイヤーからなるシャンクを備えている釣り用履き物のアウトソール。
【請求項２】
上記シャンクが、多数のワイヤーが撚り合わされて形成されている請求項１に記載の釣り用履き物のアウトソール。
【請求項３】
上記スパイクが、フランジをさらに備えており、
このフランジが、多数のワイヤーからなり、
これらワイヤーのそれぞれが、上記シャンクを構成するワイヤーと連続している請求項１又は２に記載の釣り用履き物のアウトソール。
【請求項４】
アッパーと、アウトソールとを備えており、
このアウトソールが、フェルトからなり板状である主部と、主部に収容されかつその端面が主部の底面に露出するスパイクとを備えており、
このスパイクが、多数のワイヤーからなるシャンクを備えている釣り用履き物。
【請求項５】
シャンクと、フランジとを備えており、
このシャンク及びフランジのそれぞれが、多数のワイヤーからなり、
このシャンクを構成するワイヤーのそれぞれが、フランジを構成するワイヤーと連続しているスパイク。
【請求項６】
多数のワイヤーが撚り合わされて、ケーブルが形成される工程と、
このケーブルが溶断される工程と、
この溶断されたケーブルの一部において、それぞれのワイヤーが曲げられてフランジが形成される工程とを含むスパイクの製造方法。
【発明の詳細な説明】
【技術分野】
【０００１】
本発明は、釣り人に着用されるブーツ、シューズ等の履き物に関する。
【背景技術】
【０００２】
釣り人は、ターゲットである魚を求めて釣り場を移動する。釣り人の地面の状況は、刻々と変化する。様々な状況において優れた滑止性能を発揮するブーツが求められている。
【０００３】
ブーツは、アウトソールを備えている。このアウトソールが、地面と接触する。スリップ防止の観点から、このアウトソールについて様々な検討がなされている。この検討の一例が、特開２００６−２９６６２４公報に開示されている。
【０００４】
アウトソールがゴムからなるブーツがある。このアウトソールの、岩等の地面との摩擦係数は大きい。このアウトソールが岩と直接に接触する場合、十分なグリップ力が得られる。しかし、アウトソールと岩との間に水膜が介在する場合、グリップ力は不十分である。アウトソールと岩との間に海草、藻等が介在する場合も、グリップ力は不十分である。  
【０００５】
アウトソールがフェルトからなるブーツがある。フェルトは、変形能に優れている。このアウトソールは、凹凸のある地面に追従しやすい。フェルトは、吸水性にも優れる。このため、フェルトからなるアウトソールと地面との間に水膜は形成しにくい。フェルトからなるアウトソールは、滑止性能に優れる。しかし、このフェルトからなるアウトソールでも、アウトソールと岩との間に海草、藻等が介在する場合、滑止性能は不十分である。フェルトは、早期に摩耗する。しかも、このアウトソールでは、偏摩耗が生じやすい。摩耗（又は偏摩耗）が進行したアウトソールは、もはや滑止性能に寄与し得ない。
【０００６】
図１０は、従来のアウトソール２の一例が示された底面図である。図１１は、図１０のXI−XI線に沿った拡大断面図である。この図１０に示されているアウトソール２は、新品である。このアウトソール２は、フェルトからなる主部４と、ポリマー発泡体からなる上板６と、スパイク８とを備えている。スパイク８は、１本の金属製のワイヤーに曲げ加工が施されて形成されている。このスパイク８の先端１０は、アウトソール２の底面１２に露出している。このスパイク８は、地面に突き刺さる。
【０００７】
図１２は、図１１のスパイク８の一部が示された拡大断面図である。この図１２には、スパイク８の先端１０が示されている。図示されているように、この先端１０にはエッジ１４が存在している。このエッジ１４は、岩への引っ掛かりに寄与しうる。このスパイク８は、岩にも引っ掛かり易い。このスパイク８は、スリップ防止に寄与しうる。
【特許文献１】特開２００６−２９６６２４公報
【発明の開示】
【発明が解決しようとする課題】
【０００８】
前述したように、スパイク８の先端１０はアウトソール２の底面１２に露出している。このスパイク８は、釣り人の体重を支える。スパイク８の先端１０は、岩などとの接触により摩耗していく。
【０００９】
図１３は、使用により摩耗したスパイク８の一部が示された拡大断面図である。図示されているように、スパイク８の先端１０は丸みを帯びている。新品のアウトソール２に存在していたエッジ１４（図１２参照）が、使用により摩耗し消失している。このように先端が丸くなったスパイク８では、そのスリップ防止効果が低減してしまう。このアウトソール２では、優れた滑止性能が持続されないという問題がある。
【００１０】
本発明の目的は、滑止性能に優れた釣り用履き物の提供にある。
【課題を解決するための手段】
【００１１】
本発明に係る釣り用履き物のアウトソールは、フェルトからなり板状である主部と、主部に収容されかつその端面が主部の底面に露出するスパイクとを備えている。このスパイクは、多数のワイヤーからなるシャンクを備えている。
【００１２】
好ましくは、この釣り用履き物のアウトソールでは、上記シャンクは多数のワイヤーが撚り合わされて形成されている。好ましくは、この釣り用履き物のアウトソールでは、上記スパイクは、フランジをさらに備えている。このフランジは、多数のワイヤーからなる。これらワイヤーのそれぞれは、上記シャンクを構成するワイヤーと連続している。
【００１３】
本発明に係る釣り用履き物は、アッパーと、アウトソールとを備えている。このアウトソールは、フェルトからなり板状である主部と、主部に収容されかつその端面が主部の底面に露出するスパイクとを備えている。このスパイクは、多数のワイヤーからなるシャンクを備えている。
【００１４】
本発明に係るスパイクは、シャンクと、フランジとを備えている。このシャンク及びフランジのそれぞれは、多数のワイヤーからなる。このシャンクを構成するワイヤーのそれぞれは、フランジを構成するワイヤーと連続している。
【００１５】
本発明に係るスパイクの製造方法は、
（１）多数のワイヤーが撚り合わされて、ケーブルが形成される工程と、
（２）このケーブルが溶断される工程と、
（３）この溶断されたケーブルの一部において、それぞれのワイヤーが曲げられてフランジが形成される工程とを含む。
【発明の効果】
【００１６】
本発明に係る釣り用履き物のアウトソールでは、スパイクを構成するシャンクが地面に突き刺さる。このシャンクは、滑止性能に寄与しうる。このシャンクは、多数のワイヤーからなる。使用により、これらワイヤーは摩耗していくが、これらワイヤーのそれぞれが独立して地面に引っ掛かる。このアウトソールは、滑止性能に優れる。使用により、隣接するワイヤー同士の間隔が拡がるので、ワイヤーはより効果的に地面に引っ掛かる。このアウトソールでは、スパイクの先端が摩耗しても、このスパイクによるスリップ防止効果は持続される。このアウトソールは、滑止性能に優れる。
【発明を実施するための最良の形態】
【００１７】
以下、適宜図面が参照されつつ、好ましい実施形態に基づいて本発明が詳細に説明される。
【００１８】
図１は、本発明の一実施形態に係る釣り用履き物（ブーツ１６）が示された断面図である。このブーツ１６は、アッパー１８、インソール２０、ミッドソール２２、面ファスナー２４及びアウトソール２６を備えている。
【００１９】
アッパー１８は、フット２８及びレッグ３０を備えている。フット２８は、釣り人の甲に当接する。レッグ３０は、釣り人の脛を包み、脛を保護する。アッパー１８は、ブーツ１６の中への水の浸入を防ぐ。アッパー１８は、 典型的には、ポリ塩化ビニルからなる。このアッパー１８は、強度及び剛性に優れる。図示されていないが、アッパー１８には、その内面に位置する裏地が積層されている。アッパー１８が、他の合成樹脂からなってもよい。アッパー１８が、ゴムからなってもよい。
【００２０】
インソール２０は、板状のベース３２と、このベース３２の周縁においてこのベース３２から起立する側壁３４とを有している。ベース３２は、ミッドソール２２の上面に載置されている。ベース３２は、三次元形状を有する。このインソール２０は、「カップインソール」と称されている。インソール２０は、ポリマー発泡体である。この発泡体の典型的な基材ポリマーは、エチレン−酢酸ビニル共重合体（ＥＶＡ）である。メッシュ状のインソール２０が用いられてもよい。
【００２１】
ミッドソール２２は、ゴム組成物が架橋されてなる。ミッドソール２２には、強度に優れたゴムが用いられる。好ましいゴムとしては、天然ゴム、ポリブタジエン及びスチレン−ブタジエン共重合体が例示される。ミッドソール２２は、接着剤によってアッパー１８と接合されている。ミッドソール２２が、加硫接着によってアッパー１８と接合されてもよい。ミッドソール２２が合成樹脂からなってもよい。ミッドソール２２は、その外縁にリブ３６を備えている。リブ３６は、下向きに垂下している。
【００２２】
面ファスナー２４は、フック面３８とループ面４０とを備えている。フック面３８は、接着剤によってミッドソール２２に接合されている。ループ面４０は、接着剤によってアウトソール２６に接合されている。フック面３８がアウトソール２６に接合され、ループ面４０がミッドソール２２に接合されてもよい。典型的な面ファスナー２４は、ベルクロ社のマジックテープ（登録商標）である。ミッドソール２２のリブ３６は、面ファスナー２４よりも下方にまで延在している。
【００２３】
アウトソール２６は、面ファスナー２４によってミッドソール２２と積層されている。アウトソール２６の上部は、リブ３６に囲まれている。リブ３６により、アウトソール２６のミッドソール２２からの意図せぬ離脱が防止される。このアウトソール２６は、上板４２、主部４４及びスパイク４６を備えている。
【００２４】
上板４２は、ポリマー発泡体からなる。典型的な基材ポリマーは、エチレン−酢酸ビニル共重合体である。この上板４２に、ループ面４０が接合されている。主部４４は、フェルトからなり板状である。このフェルトでは、多数の繊維が絡み合っている。ナイロン繊維、ポリエステル繊維等が、フェルトに用いられうる。主部４４は、接着剤等の手段によって上板４２に接合されている。主部４４により、ブーツ１６の底面４８が形成されている。
【００２５】
図２は、図１のブーツ１６のアウトソール２６が示された底面図である。図２から明らかなように、複数のスパイク４６がアウトソール２６の全面に分散している。スパイク４６の数は、３本以上２５本以下が好ましい。スパイク４６の配置は、適宜決定される。サイズの異なる複数種のスパイク４６が混在してもよい。
【００２６】
図３は、図２のIII−III線に沿った拡大断面図である。図３には、上板４２、主部４４及びスパイク４６が示されている。主部４４は、穴５０を備えている。スパイク４６は、この穴５０に配置されている。換言すれば、スパイク４６は、主部４４に収容されている。スパイク４６の先端５２は、主部４４の底面４８に露出している。
【００２７】
図４は、アウトソール２６に設けられたスパイク４６が示された拡大斜視図である。図５は、スパイク４６の上面図である。便宜上、図４及び図５では、先端５２が上向きの状態で、スパイク４６が示されている。
【００２８】
スパイク４６は、シャンク５４と、フランジ５６とを備えている。シャンク５４は、円柱状である。このシャンク５４の一端が、上記先端５２である。このブーツ１６では、シャンク５４は多数のワイヤー５８からなる。この先端５２において、ワイヤー５８同士は溶着している。このワイヤー５８は、金属材料からなる。典型的な金属材料は、スチールである。
【００２９】
図６は、図４のVI−VI線に沿った断面図である。この図６には、シャンク５４の断面が示されている。このシャンク５４は、１９本のワイヤー５８が撚り合わされて形成されている。このシャンク５４は、撚り線である。これらワイヤー５８のうち、その中心に位置するワイヤー５８ａは芯線と称される。この芯線の外側に位置しており６本のワイヤー５８ｂからなる部分は、内層と称される。この内層のさらに外側に位置しており１２本のワイヤー５８ｃからなる部分は、外層と称される。なお、このシャンク５４におけるワイヤー５８の構成は、ブーツ１６の仕様等が考慮され適宜決められる。
【００３０】
フランジ５６は、シャンク５４の他端の側に位置している。このフランジ５６は、シャンク５４から庇のように突き出ている。このフランジ５６の外縁６０は、シャンク５４の外縁６２よりも外側に位置している。このフランジ５６の中心に、シャンク５４は位置している。このブーツ１６では、このフランジ５６は多数のワイヤー５８からなる。このフランジ５６は、これらワイヤー５８のそれぞれが折り曲げられて形成されている。ワイヤー５８は、金属材料からなる。典型的な金属材料は、スチールである。
【００３１】
このブーツ１６では、フランジ５６を構成するワイヤー５８のそれぞれは、シャンク５４を構成するワイヤー５８と連続している。このフランジ５６とシャンク５４とは、一体的に形成されている。なお、フランジ５６が板状のディスクから構成されてもよい。この場合、このディスクの中心に多数のワイヤー５８からなるシャンク５４が設けられる。
【００３２】
図７は、図４のスパイク４６を形成するための製造装置６４の一部が示された模式図である。この製造装置６４は、芯線供給部６６、側線供給部６８、ダイス７０及び切断機７２を備えている。芯線供給部６６には、一のボビン７４が装着される。この芯線供給部６６から、ワイヤー５８が芯線として送り出される。図示されていないが、側線供給部６８には、複数のボビン７４が装着される。この側線供給部６８において、これらボビン７４は芯線から等しい距離に等しい間隔で配置される。この側線供給部６８は、芯線を中心として回転しつつボビン７４からワイヤー５８を送り出すように構成されている。ダイス７０は、この側線供給部６８から引き出されたワイヤー５８と上記芯線とを束ね、ケーブルを形成する。この製造装置６４では、側線供給部６８は芯線を中心として回転するから、このダイス７０において多数のワイヤー５８が撚り合わされる。この撚り合わせにより、ケーブル７６が形成される。切断機７２は、ケーブル７６を所定の長さに溶断し、ストランド７８を形成する。この溶断により、ストランド７８の両端面８０において、ワイヤー５８の先端同士が溶接されるので、このストランド７８はワイヤー５８が撚り合わされた状態で保持される。なお、図４に示されたスパイク４６の先端５２が、この溶断によりワイヤー５８の先端同士が溶接された部分に相当する。
【００３３】
このブーツ１６では、スパイク４６は上記製造装置６４を用いて次のようにして製造される。ワイヤー５８が巻かれたボビン７４が多数準備され、製造装置６４に供給される。これらボビン７４の内、一のボビン７４が芯線供給部６６に装着され、残りのボビン７４が側線供給部６８に装着される。それぞれのボビン７４から送り出されたワイヤー５８が撚り合わされ、ケーブル７６が形成される。このケーブル７６が所定の長さで溶断され、ストランド７８が形成される。このストランド７８の一部において、このストランド７８を構成するワイヤー５８のそれぞれが曲げられてフランジ５６が形成される。このようにして、図４で示されたスパイク４６が得られる。                                    
【００３４】
図３に示されるように、スパイク４６のシャンク５４は主部４４の穴５０に通されている。フランジ５６の外縁６０は主部４４の穴５０よりも外側に位置している。このフランジ５６は、主部４４と当接している。このフランジ５６が主部４４に引っ掛かるので、このスパイク４６が穴５０を通じて引き抜かれることはない。フランジ５６は、上板４２と当接している。このフランジ５６は、上板４２で覆われている。フランジ５６は、上板４２と主部４４とに挟まれている。前述したように、主部４４は接着剤等の手段によって上板４２に接合されている。このブーツ１６では、スパイク４６のアウトソール２６からの脱落が防止されている。このブーツ１６では、スパイク４６はアウトソール２６に安定に固定されている。
【００３５】
前述の通り、スパイク４６の先端５２は底面４８に露出している。このブーツ１６を着用した釣り人が歩行すると、海草等がアウトソール２６と地面との間に介在してしても、スパイク４６がこの海草を突き破って地面に刺さる。従って、ブーツ１６のスリップが防止される。このアウトソール２６は、滑止性能に優れる。
【００３６】
スパイク４６の先端５２には、溶断により形成されたエッジ８２が存在している。このエッジ８２は、岩への引っ掛かりに寄与しうる。このスパイク４６は、スリップ防止に寄与しうる。
【００３７】
釣り人の体重は、スパイク４６によって支えられる。使用によりシャンク５４の先端５２の部分は摩耗していく。この摩耗により、溶断によりワイヤー５８同士が溶接された部分は消失していく。
【００３８】
図８は、使用中にあるアウトソール２６の底面４８の一部が示された斜視図である。便宜上、この図８では、底面４８が上向きの状態で、アウトソール２６が示されている。図示されているように、スパイク４６の先端５２は底面４８に露出している。使用により新品のスパイク４６に存在していたワイヤー５８同士の溶接部分（図４参照）は、消失している。この消失により、この先端５２には、多数のワイヤー５８の先端が露出している。使用により、これらワイヤー５８は摩耗していくが、これらワイヤー５８のそれぞれが独立して地面に引っ掛かる。このアウトソール２６は、滑止性能に優れる。
【００３９】
図示されているように、使用により隣接するワイヤー５８同士の間隔は拡がる。このため、ワイヤー５８はより効果的に地面に引っ掛かる。このアウトソール２６を備えたブーツ１６では、スパイク４６の先端５２が摩耗しても、このスパイク４６による引っ掛かり効果は持続される。このアウトソール２６は、滑止性能に優れる。
【００４０】
図５において矢印φ１で示されているのは、スパイク４６のシャンク５４の太さである。海草等を突き破りやすいとの観点から、太さφは１０．０ｍｍ以下が好ましく、５．０ｍｍ以下が好ましい。強度の観点から、太さは２．０ｍｍ以上が好ましい。
【００４１】
図５において矢印Ｌで示されているのは、スパイク４６のフランジ５６の大きさである。この大きさＬはシャンク５４からフランジ５６の外縁６０までの長さの計測により得られる。スパイク４６の脱落防止の観点から、この大きさＬは２．０ｍｍ以上が好ましい。軽量化の観点から、１０．０ｍｍ以下が好ましい。
【００４２】
図６において矢印φ２で示されているのは、ワイヤー５８の外径である。スパイク４６による引っ掛かり効果が持続されうるという観点から、外径φ２は、２．０ｍｍ以下が好ましく、１．０ｍｍ以下が好ましい。強度の観点から、この外径φ２は０．５ｍｍ以上が好ましい。
【００４３】
前述の通り、主部４４はフェルトからなる。凹凸のある地面を釣り人が歩行したとき、この凹凸に応じてフェルトが変形する。この変形により、ブーツ１６のスリップが防止される。フェルトは吸水性に優れるので、アウトソール２６と地面との間に水膜は形成しにくい。これによっても、ブーツ１６のスリップが防止される。
【００４４】
前述したように、釣り人の体重はスパイク４６によって支えられる。従って、主部４４にかかる圧力は、小さい。このアウトソール２６では、フェルトの摩耗が抑制される。このアウトソール２６では、偏摩耗も抑制される。スリットによって追従性が高められているので、これによっても偏摩耗が抑制される。このアウトソール２６は、長持ちする。
【００４５】
このブーツ１６が繰り返し使用されると、アウトソール２６が摩耗する。摩耗の進行したアウトソール２６は、ミッドソール２２から引き剥がされる。この引き剥がしは、フック面３８からのループ面４０の分離によってなされる。アウトソール２６及びループ面４０は、廃棄される。そして、新しいアウトソール２６が、ループ面４０と共にフック面３８に接合される。アウトソール２６の交換により、このブーツ１６が長期間にわたって使用されうる。このブーツ１６は、経済的である。
【００４６】
図９は、図１のブーツ１６のアウトソール２６の一部が示された拡大断面図である。図９（ａ）には、釣り人が起立したときのアウトソール２６が示されている。図９（ｂ）には、釣り人が歩行しているときのアウトソール２６が示されている。このアウトソール２６は、主部４４（すなわちフェルト）にスリット８４を備えている。主部４４が底面４８から上方に向かって切り込まれることにより、スリット８４が形成されている。スリット８４の上端８６は、上板４２にまでは至っていない。図２から明らかなように、スリット８４は実質的に幅方向（図２の左右方向）に延在している。スリット８４は、幅方向に対して波状である。この実施形態では、スリット８４の数は５である。
【００４７】
図９（ｂ）に示されるように、歩行によってアウトソール２６が変形する。スリット８４が開きつつ主部４４が変形するので、この変形において生じる応力は小さい。このアウトソール２６は、釣り人の足の変形に容易に追従する。このブーツ１６を着用した釣り人の足は、疲れにくい。
【００４８】
図９において矢印Ｄで示されているのは、スリット８４の深さである。深さＤは、４ｍｍ以上が好ましい。深さＤが４ｍｍ以上である主部４４は、追従性に優れる。追従性に優れた主部４４は、偏摩耗しにくい。追従性に優れた主部４４を有するブーツ１６は、履き心地に優れる。この観点から、深さＤは６ｍｍ以上がより好ましい。深さＤは主部４４の厚みＴの４０％以上が好ましく、６０％以上が特に好ましい。深さＤが厚みＴと同一であってもよい。
【産業上の利用可能性】
【００４９】
本発明に係るアウトソールは、ブーツのみならず、シューズ、足袋、ウェーダー等に適用されうる。本発明に係る履き物は、種々の釣り場において利用されうる。
【図面の簡単な説明】
【００５０】
【図１】図１は、本発明の一実施形態に係る釣り用履き物（ブーツ）が示された断面図である。
【図２】図２は、図１のブーツのアウトソールが示された底面図である。
【図３】図３は、図２のIII−III線に沿った拡大断面図である。
【図４】図４は、アウトソールに設けられたスパイクが示された拡大斜視図である。
【図５】図５は、スパイクの上面図である。
【図６】図６は、図４のVI−VI線に沿った断面図である。
【図７】図７は、図４のスパイクを形成するための製造装置の一部が示された模式図である。
【図８】図８は、使用中にあるアウトソールの底面の一部が示された斜視図である。
【図９】図９は、図１のブーツのアウトソールの一部が示された拡大断面図である。
【図１０】図１０は、従来のアウトソールの一例が示された底面図である。
【図１１】図１１は、図１０のXI−XI線に沿った拡大断面図である。
【図１２】図１２は、図１１のスパイクの一部が示された拡大断面図である。
【図１３】図１３は、使用により摩耗したスパイクの一部が示された拡大断面図である。
【符号の説明】
【００５１】
２、２６・・・アウトソール
４、４４・・・主部
６、４２・・・上板
８、４６・・・スパイク
１６・・・ブーツ
１８・・・アッパー
２０・・・インソール
２２・・・ミッドソール
２４・・・面ファスナー
５４・・・シャンク
５６・・・フランジ
５８、５８ａ、５８ｂ、５８ｃ・・・ワイヤー
６４・・・製造装置
６６・・・芯線供給部
６８・・・側線供給部
７０・・・ダイス
７２・・・切断機
【図１】
2010172652.tif 000003
【図２】
2010172652.tif 000004
【図３】
2010172652.tif 000005
【図４】
2010172652.tif 000006
【図５】
2010172652.tif 000007
【図６】
2010172652.tif 000008
【図７】
2010172652.tif 000009
【図８】
2010172652.tif 000010
【図９】
2010172652.tif 000011
【図１０】
2010172652.tif 000012
【図１１】
2010172652.tif 000013
【図１２】
2010172652.tif 000014
【図１３】
2010172652.tif 000015